(57)【要約】【課題】繊維質成分を含む果汁飲料や薬剤等の流動体を確実に分配することができる分配器を提供する。【解決手段】分配器６は分配器本体４０と、この分配器本体４０に設けられ流動体の流れ方向に形成された導出路４２とを備えている。分配器本体４０は、下方の液溜り部４０ａと、上方の導出部４０ｂとからなり、導出部４０ｂ内は仕切板４５によって導出路４２に対応する空間４５ａ毎に区画されている。【選択図】図１
2008012499.tif 000002
【特許請求の範囲】
【請求項１】
流動体の流路に一端が連通されるとともに他端が閉鎖された分配器本体と、
分配器本体に設けられ流動体の流れ方向に形成された導出路とを備えたことを特徴とする分配器。
【請求項２】
分配器本体は下方の液溜り部と、上方の導出部とからなり、この上方の導出部は導出路に対応する空間毎に分割されていることを特徴とする請求項１記載の分配器。
【請求項３】
分配器本体の上方の導出部は、格子状仕切板によって、導出路に対応する空間ごとに分割されていることを特徴とする請求項２記載の分配器。
【請求項４】
分配器本体の上方の導出部は、液溜り部から上方に延び、互いに独立して形成された複数の隔室からなることを特徴とする請求項２記載の分配器。
【請求項５】
分配器本体に設けられた導出路は、上方に向かって先細となるテーパー状導出路を含むことを特徴とする請求項２乃至４のいずれか記載の分配器。
【請求項６】
分配器本体の下方の液溜り部は、その底板が流体の流れ方向に沿って徐々に上昇することを特徴とする請求項１乃至５のいずれか記載の分配器。
【発明の詳細な説明】
【技術分野】
【０００１】
本発明は、主として繊維成分を含む果汁原料、飲料、薬剤等の液状の流動体中に混在する異物を検出し、これを除去する異物検出除去装置に用いる分配器に関する。
【背景技術】
【０００２】
上記のような繊維成分を含む果汁原料等の流動体中に混在する異物を除去するためにフィルタを通して異物の除去を図る場合、フィルタに繊維質成分が詰まって目詰まりを起こし、使用することができない。
【０００３】
かかることから流動体中の異物を除去する装置として、検査対象である流動体を重力により複数の細路に導き、この細路を流れる間に検出部により流動体中の異物を検出し、この異物検出時にその検出信号により該当する細路の弁を開けて異物を排出させるようになったものが提案されている（特許文献１参照）。この際、流動体の分配器として、流動体を流量調整器を経て平板部の複数の流路に分割するものが用いられている。
【０００４】
一方、繊維質成分が含まれる流動体中の異物を検出・除去する装置として、流動体が流れる管路中に透光性の検査用窓を設け、光源、映像装置によって検出された異物を同管路中に設けられたバルブ装置によって流動体とともに排除するようになされた異物検査システムが提案されている（特許文献２参照）。
【０００５】
また、流動体を分配器に導入して、多数の流路内に流動体を分配し、流路毎に分配された流動体を排出する異物除去装置も提案されている（特許文献３参照）。
【特許文献１】特開平１０−４３６９５号公報
【特許文献２】特開２０００−２３５００４号公報
【特許文献３】特開２００４−１５６９６０号公報
【発明の開示】
【発明が解決しようとする課題】
【０００６】
しかしながら、上記文献１に記載の装置では、扇型の扁平ノズル形状によって細路へ導くので、中央部の細路と両側部分の細路で流速に差が生じやすく、確実な異物除去ができないという問題点がある。
【０００７】
一方、特許文献２に記載の技術では、管路中で細流に分けることなく検出された異物を含む流動体を一括排除する構成であるから、単位除去量が大きくなり、異物混入密度の高い流動体においては損失が大きく適用することができない。
【０００８】
また、特許文献３および４記載のものは、流動体を管路部から複数の流路に導いて流動体を分配するものであるが、分流路内において流動体の圧力の不均衡、あるいは流動体の流れの不均一が生じ、分流路内の分圧がゼロとなって全く流れなくなる流路が発生することがあったりして、流動体を均一に分配することができない場合がある。
【０００９】
異物を確実に排除し、異物とともに排除される流動体量を少なくするためには、流路を細分化するとともに各流路を流れる流動体の流量および速度を一定に保つ必要がある。
【００１０】
また、流動体の総流量、密度、粘度が変化しても分流性能に影響を及ぼさないことが重要な課題となる。
【００１１】
本発明はこのような点を考慮してなされたものであり、流動体の総流量、密度、粘度に関わらず、均一の流量および速度で分配することができ、このことにより各流路内の流動体中の異物を確実に除去し、異物とともに排除される流動体の損失を極力減らすことを可能とする分配器を提供することを目的とする。
【課題を解決するための手段】
【００１２】
本発明は、流動体の流路に一端が連通されるとともに他端が閉鎖された分配器本体と、分配器本体に設けられ流動体の流れ方向に形成された導出路とを備えたことを特徴とする分配器である。
【００１３】
本発明は、分配器本体は下方の液溜り部と、上方の導出部とからなり、この上方の導出部は導出路に対応する空間毎に分割されていることを特徴とする分配器である。
【００１４】
本発明は、分配器本体の上方の導出部は、格子状仕切板によって、導出路に対応する空間ごとに分割されていることを特徴とする分配器である。
【００１５】
本発明は、分配器本体の上方の導出部は、液溜り部から上方に延び、互いに独立して形成された複数の隔室からなることを特徴とする分配器である。
【００１６】
本発明は、分配器本体に設けられた導出路は、上方に向かって先細となるテーパー状導出路を含むことを特徴とする分配器である。
【００１７】
本発明は、分配器本体の下方の液溜り部は、その底板が流体の流れ方向に沿って徐々に上昇することを特徴とする分配器である。
【００１８】
本発明によれば、分配器本体に設けられた導出路から均等分割された流動体は、下流側の異物除去装置の分割流路に導かれる。この場合、流動体を分配器本体内で整流させて、均一な流量および流速をもって分割流路に導くことができる。
【発明の効果】
【００１９】
以上説明したように本発明によれば、分配器本体に設けられた導出路から均等分割された流動体は下流側の異物除去装置の分割流路に導かれる。また流動体を分配器本体内で整流させて、均一な流量および流速をもって分割流路に導くことができる。
【００２０】
また、本発明によれば処理流量、流動体の密度、粘度に関わらず、均一な流量および流速をもって分割流路に導くことができる。
【００２１】
また、本発明によれば、異物とともに排出される流動体の排出量を可能な限り少なくすることができる。
【００２２】
また、本発明は異物検出、除去方法に関わらず分割流路を有する装置に適用することができ、異物除去装置の除去性能を向上させることができる。
【発明を実施するための最良の形態】
【００２３】
以下、本発明を図面に示す実施の形態を参照して説明する。
【００２４】
図１（ａ）（ｂ）（ｃ）により分配器について説明する。ここで図１（ａ）は分配器の側面図、図１（ｂ）は分配器の正面図、図１（ｃ）は分配器の平面図である。
【００２５】
図１（ａ）（ｂ）（ｃ）に示すように、分配器は分配器本体４０と、分配器本体４０に接続された流動体の導入路６ａとを有している。
【００２６】
また分配器本体４０は下方の液溜り部４０ａと、上方の導出部４０ｂとからなり、上方の導出部４０ｂは、図示しない異物除去装置本体の分割流路に対応する空間ごとに分割されている。すなわち、分配器本体４０の導出部４０ｂは互いに独立して形成された２列の隔室４１，４１からなっている。各隔室４１，４１は流動体の流れ方向に延びるとともに、各隔室４１，４１内には流動体の流れ方向に直交して配置された複数の仕切板４５が設けられている。そしてこの仕切板４５は異物除去装置本体の分割流路に対応する空間４５ａ毎に上方の導出部４０ｂを分割することができる。
【００２７】
さらに導出部４０ｂは異物除去装置本体の分割流路に、接続継手４３を介してチューブ７により接続されている。
【００２８】
また分配器本体４０の底板４０ｄは、導入路６ａ側が平坦状をなし、中央部から導入路６ａの反対側に向かって徐々に上昇して上昇部４６を形成している。
【００２９】
図１において、分配器本体４０の上方の導出部４０ｂは、２本の隔室４１，４１からなるとともに、各隔室４１，４１内が仕切板４５により仕切られて、導出部４０ｂ内が異物除去装置本体の分割流路に対応する空間４５ａ毎に分割されているので、導入路６ａから液溜り部４０ａ内に流入する流動体を導出部４０ｂ内で分割流路毎に整流することができる。
【００３０】
そして仕切板４５により仕切られた各空間４５ａ内に整流状態で流入する流動体をテーパー状導出路４２、接続継手４３およびチューブ７を介して確実に異物除去装置本体の分割流路へ導くことができる。
【００３１】
このように導入路６ａから液溜り部４０ａ内に流入する流動体を導出部４０ｂの各空間４５ａ内で整流させ、異物除去装置本体の分割流路に、導出路４２、接続継手４３およびチューブ７を介して同一条件で導くことができる。
【００３２】
ところで各隔室４１内に設けられた仕切板４５は、流動体の流れ方向に直交して設けられ、その下端は各隔室４１の下端よりわずかに上方に位置している。この場合、仕切板４５を隔室４１の下端より更に液溜り部４０ａ内まで下方へ延ばしてもよい。
【００３３】
また、導出部４０ｂを２列の隔室４１により形成した例を示したが、隔室４１は２列に限らず、隔室４１を流動体の流れ方向に沿って４列以上設けてもよい。
【００３４】
さらに、導出部４０ｂを隔室４１により形成することなく、導出部４０ｂを単一の室から形成し、この単一の室からなる導出部４０ｂ内に格子状の仕切板４５を設けて導出部４０ｂ内を異物除去装置本体の分割流路に対応する数だけ分割してもよい。この場合、仕切板４５は流動体の流れ方向、および流動体の流れ方向に直交する方向に延びることになる。
【００３５】
次にこのような構成からなる本実施の形態の作用について説明する。
【００３６】
図示しないタンクに入れられている流動体はポンプにより導入路６ａから分配器６に供給される。
【００３７】
分配器６に流入した流動体は、分配器６の液溜り部４０ａから導出部４０ｂに流入し、その後、導出部４０ｂから導出路４２、接続継手４３、およびチューブ７を介して異物除去装置本体の分割流路に均等配分されて流入する。
【００３８】
この間、分配器６内に流入路６ａから導入された流動体を、分配器６により異物除去装置本体の分割流路へ均一かつ確実に分配することができる。すなわち、図１において、分配器本体４０の上方の導出部４０ｂは、２本の隔室４１，４１からなるとともに、各隔室４１，４１内が仕切板４５により仕切られて、導出部４０ｂ内が異物除去装置本体の分割流路に対応する空間４５ａ毎に分割されているので、導入路６ａから液溜り部４０ａ内に流入する流動体を導出部４０ｂ内で分割流路毎に整流することができる。そして仕切板４５により仕切られた各空間４５ａ内に整流状態で流入する流動体をテーパー状導出路４２を介して確実に異物除去装置本体の分割流路へ導くことができる。
【００３９】
このように導入路６ａから液溜り部４０ａ内に流入する流動体を導出部４０ｂの各空間４５ａ内で整流させ、接続継手４３からチューブ７を介して異物除去装置本体の分割流路に同一条件で導くことができる。このため液溜り部４０ａ内の流動体を均一な流量および流速をもって異物除去装置本体の分割流路まで導くことができる。
【００４０】
このように本発明による分配器は、異物除去装置に適用することによって異物の除去精度を向上させ、異物とともに排除される流動体の損失を最小化することができる。
【図面の簡単な説明】
【００４１】
【図１】本発明による分配器であって、（ａ）は側面図、（ｂ）は正面図、（ｃ）は平面図である。
【符号の説明】
【００４２】
６  分配器
７  チューブ
４０  分配器本体
４０ａ  液溜り部
４０ｂ  導出部
４０ｄ  底板
４１  隔室
４２  テーパ状導出路
４５  仕切板
４５ａ  空間
【図１】
2008012499.tif 000003
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
液体状の流動体の流路に一端が連通されるとともに他端が閉鎖された分配器本体と、
分配器本体の上部に設けられ液体状の流動体の流れ方向に形成された複数の導出路とを備え、
分配器本体は液体状の流動体が流入する下方の液溜り部と、上方の導出部とからなり、この上方の導出部は各導出路に対応する空間毎に分割され、
分配器本体の上方の導出部は、分配器本体内に設けられ、導出路側から下方へ延びる格子状仕切板によって、各導出路に対応する空間ごとに分割されていることを特徴とする分配器。
【請求項２】
分配器本体の上方の導出部は、液溜り部から上方に延び、互いに独立して形成された複数の隔室からなることを特徴とする請求項１記載の分配器。
【請求項３】
分配器本体に設けられた各導出路は、上方に向かって先細となるテーパー状導出路からなることを特徴とする請求項１または２のいずれか記載の分配器。
【請求項４】
分配器本体の下方の液溜り部は、その底板が液体状の流動体の流れ方向に沿って徐々に上昇することを特徴とする請求項１乃至３のいずれか記載の分配器。